(57)【要約】【課題】床パネルのコーナー部に開口形成したボルト挿通穴からパネル載置用台座にわたって締結ボルトをスムースに挿通し締結することができ、床パネルを作業性良く敷設することが可能であると共に、コストの低減化および軽量化を図ることが可能なフリーアクセスフロア用支持脚を提供すること。【解決手段】パネル載置用台座１に、床パネルＢのコーナー部Ｂ’に形成したボルト挿通穴５と対応する位置に上部が略すり鉢形状に形成された連携用穴１３を貫通状に形成すると共に、該連携用穴の内周面に雌ネジを刻設するかまたは連携用穴の裏面側に締結用ナット７を回動不能に設置し、床パネルのボルト挿通穴とパネル載置用台座の上記雌ネジまたは締結用ナットとにわたって締結ボルト６を連携させるようにした。【選択図】　　図１
2004092132.tif 000002
【特許請求の範囲】
【請求項１】
床パネルのコーナー部を載承するパネル載置用台座を備え、該パネル載置用台座と上記床パネルのコーナー部とにわたって締結ボルトを連携させるようにしたフリーアクセスフロア用支持脚であって、前記パネル載置用台座に、前記床パネルのコーナー部に形成したボルト挿通穴と対応する位置に上部が略すり鉢形状に形成された連携用穴を形成すると共に、該連携用穴の内周面に雌ネジを刻設し、前記床パネルのボルト挿通穴と前記パネル載置用台座の連携用穴内周面に形成した雌ネジとにわたって締結ボルトを連携させるようにした事を特徴とするフリーアクセスフロア用支持脚。
【請求項２】
床パネルのコーナー部を載承するパネル載置用台座を備え、該パネル載置用台座と上記床パネルのコーナー部とにわたって締結ボルトを連携させるようにしたフリーアクセスフロア用支持脚であって、前記パネル載置用台座に、前記床パネルのコーナー部に形成したボルト挿通穴と対応する位置に上部が略すり鉢形状に形成された連携用穴を形成すると共に、該連携用穴の裏面側に締結用ナットを回動不能に設置し、前記床パネルのボルト挿通穴と前記パネル載置用台座の連携用穴内に設置した前記締結用ナットとにわたって締結ボルトを連携させるようにした事を特徴とするフリーアクセスフロア用支持脚。
【請求項３】
前記連携用穴の上面側口縁の一部に、前記した略すり鉢傾斜面と連続した傾斜面を有し且つ平面からみて内側に略円弧状に湾曲したパネル係止用突起を形成し、該パネル係止用突起を前記床パネルのコーナー部裏側の凹部に嵌入係合させるようにした請求項１または２に記載のフリーアクセスフロア用支持脚。
【発明の詳細な説明】
【０００１】
【発明の属する技術分野】
本発明は、フリーアクセスフロアを構築する際に基礎床上に碁盤の目状に配設して定形矩形状に形成された床パネルのコーナー部を載置支持するためのフリーアクセスフロア用支持脚に関し、更に詳しくは、横揺れや振動等により床パネル（のコーナー部）が支持脚から脱落しないように、床パネルのコーナー部を載承するパネル載置用台座と床パネルのコーナー部とにわたって締結ボルトを連携締結させるようにしたフリーアクセスフロア用支持脚に関するものである。
【０００２】
【従来の技術】
従来のこの種フリーアクセスフロア用支持脚では、図３に示すごとく、パネル載置用台座１’と床パネルＢのコーナー部Ｂ’とにわたって締結ボルト６’を連携させるのに、パネル載置用台座１’上にボルト貫通穴９’を貫通形成した筒状突起９”を突設せしめ、そのボルト貫通穴９’を通して締結用ナット７’に螺合締結させるようにしていた（特許文献１参照）。
その為に、床パネルＢのコーナー部Ｂ’に開口形成したボルト挿通穴５’から締結ボルト６’を挿入させた場合に、床パネル側のボルト挿通穴５’とパネル載置用台座１’側の筒状突起９”のボルト貫通穴９’とのセンター（軸芯）が少しずれると、図３の仮想線で示すごとく締結ボルト６’の先端が筒状突起９”の先端部に当接してボルト貫通穴９’内に挿入し難くなることがあった。その場合、床パネルの敷設作業性が非常に悪くなる。
【０００３】
【先行技術文献の開示】
【特許文献１】
実用新案登録第３０６８７８３号公報（第１２頁、図１および図４参照）
【０００４】
【発明が解決しようとする課題】
本発明はこのような従来の不具合に鑑みてなされたものであり、床パネルのコーナー部に開口形成したボルト挿通穴からパネル載置用台座にわたって締結ボルトをスムースに挿通し連携することができ、よって床パネルを作業性良く敷設することが可能であると共に、コストの低減化および軽量化を図ることが可能なフリーアクセスフロア用支持脚を提供せんとするものである。
【０００５】
【課題を解決するための手段】
斯かる目的を達成する本発明の請求項１に係るフリーアクセスフロア用支持脚は、床パネルのコーナー部を載承するパネル載置用台座を備え、該パネル載置用台座と上記床パネルのコーナー部とにわたって締結ボルトを連携させるようにしたフリーアクセスフロア用支持脚であって、前記パネル載置用台座に、前記床パネルのコーナー部に形成したボルト挿通穴と対応する位置に上部が略すり鉢形状に形成された連携用穴を形成すると共に、該連携用穴の内周面に雌ネジを刻設し、前記床パネルのボルト挿通穴と前記パネル載置用台座の連携用穴内周面に形成した雌ネジとにわたって締結ボルトを連携させるようにした事を特徴としたものである。
また、本発明の請求項２に係るフリーアクセスフロア用支持脚は、前記パネル載置用台座に、前記床パネルのコーナー部に形成したボルト挿通穴と対応する位置に上部が略すり鉢形状に形成された連携用穴を形成すると共に、該連携用穴の裏面側に締結用ナットを回動不能に設置し、前記床パネルのボルト挿通穴と前記パネル載置用台座の連携用穴内に設置した前記締結用ナットとにわたって締結ボルトを連携させるようにした事を特徴としたものである。
この際、前記連携用穴の上面側口縁の一部に、前記した略すり鉢傾斜面と連続した傾斜面を有し且つ平面からみて内側に略円弧状に湾曲したパネル係止用突起を形成し、該パネル係止用突起を前記床パネルのコーナー部裏側の凹部に嵌入係合させるようにすることが好ましい。
【０００６】
【発明の実施の形態】
以下、本発明の具体的な好適実施例を図面を参照しながら詳細に説明するが、本発明は図示実施例のものに限定されるものではなく、いろいろなバリエーションが考えられる。
【０００７】
本発明のフリーアクセスフロア用支持脚Ａは、床パネルＢのコーナー部Ｂ’を載承するためのパネル載置用台座１を備えてなる。ちなみに、パネル載置用台座１には、基礎床面上に直接的に配設されるタイプ、すなわち支持脚Ａが実質的にパネル載置用台座だけで構成されているタイプと、図示実施例のごとく、基礎床面上に固定される設置プレート２に脚支柱３を鉛直状に立設せしめ、その脚支柱３の先端部に、高さ調節ナット４等で高さ調節自在且つ着脱自在に装着されるタイプとがある。
【０００８】
パネル載置用台座１は、基礎床面上に直接的に配設されるタイプのものでは金属板をプレス成形したり樹脂材を用いて形成することもあるが、脚支柱３に高さ調節自在に装着されるタイプのものでは多くの場合ダイカスト鋳造などの鋳造により所要の形状に形成される。ちなみに、図示実施例のパネル載置用台座１はアルミニウム合金を用いたダイカスト鋳造により形成されている。
【０００９】
パネル載置用台座１は、フリーアクセスフロアを構築するべく敷き並べられた隣接する４枚の床パネルＢ（ボーダー部に適用される場合には２枚の床パネル）のコーナー部Ｂ’を同時に載承しえるように、平面から見て略正方形状に形成された平面台座１１と、この平面台座１１の裏側に脚支柱３の先端部に着脱自在に外嵌される装着筒部１２とを同一体に形成してなり、更に装着筒部１２には当該パネル載置用台座１が脚支柱３に対して不用意に回動しないように固定するための回止め用ボルト１２’を取り付けてなる。
【００１０】
パネル載置用台座１の平面台座１１には、各四隅部分にあって床パネルＢのコーナー部Ｂ’に形成されたボルト挿通穴５と対応する位置に、上部が略すり鉢形状に形成された連携用穴１３を上面側から裏面側にわたって貫通状に形成すると共に、連携用穴１３の上面側口縁の一部にパネル係止用突起１４を必要に応じて突出形成してなる。
尚、平面台座１１の上面には、床パネルＢのコーナー部Ｂ’底面が当接した時のがたつきを緩衝するための弾性を有するゴム製または合成樹脂製の緩衝板１５を必要に応じて敷設するも任意である。
【００１１】
パネル載置用台座１の平面台座１１に形成された連携用穴１３には、床パネルＢのコーナー部Ｂ’に形成されたボルト挿通穴５とにわたって締結ボルト６を連携させて、床パネルＢのコーナー部Ｂ’をパネル載置用台座１に固定させるようにする。その場合、連携用穴１３の内周面に雌ネジ（図示せず）を直接刻設せしめて、その雌ネジに締結ボルト６を螺合させることにより床パネルＢのコーナー部Ｂ’をパネル載置用台座１に連携固定させるようにしても良いし、図示実施例のごとく連携用穴１３の裏面側、すなわち平面台座１１の裏面側にあって連携用穴１３と対応する位置に締結用ナット７を回動不能に設置させ、その締結用ナット７に締結ボルト６を螺合させることにより床パネルＢのコーナー部Ｂ’をパネル載置用台座１に連携固定させるようにしても良い。
【００１２】
締結用ナット７は、平面台座１１の裏面側に連携用穴１３と対応する位置に凹設された設置穴１６内に回動不能に収納され、設置穴１６から脱落しないように裏蓋８でもって保持される。従って、締結用ナット７はパネル載置用台座１の平面台座１１に回動不能ではあるが少し揺動しえるように設置される。これにより、締結ボルト６先端との当たりが良好なものとなる。図中の符号８１は、裏蓋８を平面台座１１の裏面側に取り付けるためのビスを示す。
【００１３】
パネル係止用突起１４は、パネル載置用台座１（の平面台座１１）上に載承された床パネルＢ（のコーナー部Ｂ’）が横ずれしないように係止するためのものであり、パネル載置用台座１（の平面台座１１）に形成された連携用穴１３の上面側口縁の一部に、連携用穴１３の上部に形成された略すり鉢傾斜面１３’と連続した傾斜面１４’を有し且つ平面からみて内側に略円弧状に湾曲形成され、床パネルＢのコーナー部Ｂ’の裏側の凹部Ｂ”に嵌入係合させるようにする。
尚、図示実施例ではパネル係止用突起１４を、パネル載置用台座１の平面台座１１の隣接する両辺にわたる略半円弧状に形成しているが、それより小さく例えば略四分の一円弧状程度に形成しても良い。
【００１４】
【発明の効果】
本発明に係るフリーアクセスフロア用支持脚は斯様に、パネル載置用台座に、床パネルのコーナー部に形成したボルト挿通穴と対応する位置に上部が略すり鉢形状に形成された連携用穴を貫通状に形成すると共に、該連携用穴の内周面に雌ネジを刻設するか、または連携用穴の裏面側に締結用ナットを回動不能に設置し、床パネル側のボルト挿通穴とパネル載置用台座側の上記雌ネジまたは締結用ナットとにわたって締結ボルトを連携させるようにしたので、締結ボルトを床パネルのコーナー部のボルト挿通穴から挿通させたときに、締結ボルトの先端が連携用穴の略すり鉢傾斜面にガイドされて自然且つ確実に連携用穴の雌ネジまたは締結用ナットに導かれるようになる。従って、床パネルのコーナー部に開口形成したボルト挿通穴からパネル載置用台座にわたって締結ボルトをスムースに挿通し連携させることができる。よって、床パネルを支持脚上に作業性良く敷設することが可能となる。
【００１５】
しかも、従来品のように、パネル載置用台座に締結ボルトを挿通させるためのボルト貫通穴を形成した筒状突起を突設する必要がないので、その分の材料費を削減してコストの低減化を図ることができると共に、軽量化を図ることが可能となる。
【００１６】
また、特に請求項１記載のフリーアクセスフロア用支持脚によれば、上部が略すり鉢形状に形成された連携用穴の内周面に雌ネジを直接刻設せしめ、その雌ネジに床パネルのコーナー部をパネル載置用台座に締結させるための締結ボルトを螺合連携させるようにしたので、製造が容易で且つ他に部品を必要とせず、安価に提供することが可能となる。
【００１７】
更に、特に請求項３記載のフリーアクセスフロア用支持脚によれば、パネル載置用台座に形成せしめた連携用穴の上面側口縁の一部に、略すり鉢傾斜面と連続した傾斜面を有し且つ平面からみて内側に略円弧状に湾曲したパネル係止用突起を形成し、該パネル係止用突起を床パネルのコーナー部裏側の凹部に嵌入係合させるようにしてなるので、パネル載置用台座上に載承した床パネルが不用意に横ずれするような惧れがなくなると共に、床パネルのコーナー部のボルト挿通穴から締結ボルトを挿通させたときに締結ボルトの先端がパネル係止用突起の傾斜面にガイドされてスムースに連携用穴の雌ネジまたは締結用ナットに導かれるようになる。
【図面の簡単な説明】
【図１】本発明実施の一例を示す一部切欠正面図。
【図２】同一部切欠平面図。
【図３】従来例を示す一部切欠正面図。
【符号の説明】
Ａ：フリーアクセスフロア用支持脚
Ｂ：床パネル
Ｂ’：床パネルのコーナー部　　　　　Ｂ”：凹部
１：パネル載置用台座
１１：平面台座　　　　　　　　　　１２：装着筒部
１３：連携用穴　　　　　　　　　　１３’：略すり鉢傾斜面
１４：パネル係止用突起　　　　　　１４’：傾斜面
５：ボルト挿通穴
６：締結ボルト
７：締結用ナット
【図１】
2004092132.tif 000003
【図２】
2004092132.tif 000004
【図３】
2004092132.tif 000005